(57)【要約】【課題】  受座内における塵芥の侵入を防止でき、主球を円滑に回転させ得る転動体用カバー体。【解決手段】  受座１３と、受座１３に敷設された転動可能な複数の小球５と、受座１３に小球５を介して載置される転動可能な主球６とを備えた転動体２２の、転動体２２を覆う転動体用カバー体１であって、転動体２２の外方に配置された基部２３と、主球６の外縁を覆うとともに、基部２３の一端部に対して出退可能に取付けられた主球覆い部２４と、基部２３に対する主球覆い部２４の出退を調整する調整部２５とを備えた転動体用カバー体１。【選択図】  図１
2020045218.tif 000002
【特許請求の範囲】
【請求項１】
受座と、該受座に敷設された転動可能な複数の小球と、前記受座に前記小球を介して載置される転動可能な主球とを備えた転動体の、該転動体を覆う転動体用カバー体であって、
前記転動体の外方に配置された基部と、
前記主球の外縁を覆うとともに、前記基部の一端部に対して出退可能に取付けられた主球覆い部と、
前記基部に対する前記主球覆い部の出退を調整する調整部とを備えたことを特徴とする転動体用カバー体。
【請求項２】
前記調整部は、前記基部と前記主球覆い部に亘るねじである請求項１に記載の転動体用カバー体。
【請求項３】
前記調整部は、基部に形成した雌ねじ、および主球覆い部に形成した雄ねじを備え、前記主球覆い部には、前記調整部の一端を覆う鍔が形成された請求項１または請求項２に記載の転動体用カバー体。
【発明の詳細な説明】
【技術分野】
【０００１】
本発明は、転動体用カバー体に関する。
【背景技術】
【０００２】
特許文献１には、受座に小球が敷設され、受座に小球を介して主球が配置された支承体が開示されている。さらに詳しくは、特許文献１の支承体は、受座に複数の小球が転動可能に設けられた本体部材と、主球の上部を露出させた状態で、主球を小球に対して転動可能に支持するとともに、受座内に塵芥が侵入するのを防止するためのカバー体と、本体部材にカバー体を締結するボルトとを備える。
【先行技術文献】
【特許文献】
【０００３】
【特許文献１】特開平１０−１８１８１９号公報
【発明の概要】
【発明が解決しようとする課題】
【０００４】
上記特許文献１の支承体では、本体部材にカバー体を締結するボルトの締結程度によっては、主球がカバー体に押圧され過ぎてしまい、小球に対する主球の摩擦が強すぎ、この場合では、主球の回転を阻害させる。あるいは逆に、ボルトの締結程度によっては、主球とカバー体との隙間が空きすぎてしまい、この場合では、カバー体が存在したとしても、受座に対する塵芥の侵入が防げない。
【０００５】
そこで本発明は、受座内における塵芥の侵入を防止でき、主球を円滑に回転させ得る転動体用カバー体の提供を目的とする。
【課題を解決するための手段】
【０００６】
本発明の転動体用カバー体は、受座と、該受座に敷設された転動可能な複数の小球と、前記受座に前記小球を介して載置される転動可能な主球とを備えた転動体の、該転動体を覆う転動体用カバー体であって、前記転動体の外方に配置された基部と、前記主球の外縁を覆うとともに、前記基部の一端部に対して出退可能に取付けられた主球覆い部と、前記基部に対する前記主球覆い部の出退を調整する調整部とを備えたことを特徴とする。
【０００７】
上記構成を備えた本発明によれば、転動体の外方に配置された基部と、主球の外縁を覆うとともに基部の一端部に対して出退可能に取付けられた主球覆い部とによって、主球の一部を露出させた状態で転動体が覆われ、また、主球覆い部は、調整部を介して基部の一端部に対して出退可能とされているから、調整部を操作することで、主球の外縁と主球覆い部との間の隙間が調整されて、主球覆い部が主球の外縁に一致させられるから、小球に対する主球の転動が円滑に行くとともに、受座に対して塵芥の侵入を防ぐことができる。
【０００８】
本発明では、前記調整部は、前記基部と前記主球覆い部に亘るねじである構成を採用できる。
【０００９】
上記構成によれば、調整部は基部と主球覆い部に亘るねじであるから、主球覆い部の出退動作に関して、簡単にすることができる。
【００１０】
本発明では、前記調整部は、基部に形成した雌ねじ、および主球覆い部に形成した雄ねじを備え、前記主球覆い部には、前記調整部の一端を覆う鍔が形成された構成を採用できる。
【００１１】
上記構成によれば、鍔によって、雄ねじおよび雌ねじが保護され、したがって、受座に対して塵芥の侵入を防ぐことができる。
【発明の効果】
【００１２】
本発明の転動体用カバー体によれば、受座内における塵芥の侵入を防止でき、主球を円滑に回転させ得る。
【図面の簡単な説明】
【００１３】
【図１】本発明の一実施形態を表す支承体の一部破断断面図である。
【図２】同主球覆い部の取付け状態を示す一部破断断面図である。
【図３】同転動体用カバー体の断面図である。
【図４】同転動体用カバー体の斜視図である。
【図５】同転動体用カバー体の主球覆い部と基部の斜視図である。
【発明を実施するための形態】
【００１４】
以下、本発明の一実施形態に係る転動体用カバー体を、図１ないし図５に基づいて説明する。図１および図２に示すように、転動体用カバー体１は、コンベヤ等２に配置され、物品を容易に搬送するために使用する支承体３に用いられる。
【００１５】
はじめに、支承体３の説明をする。支承体３は、支承体本体４と、小球５と、主球６と、保持装置７と、転動体用カバー体１とを備える。
【００１６】
支承体本体４は、有底の円筒体形状をしており、円筒状の本体脚１０と、本体脚１０に一体的に形成された底部１１とを備えている。そして底部１１の所定領域に、球面状の凹部１２が形成されており、底部１１の一端面（上面）が受座１３とされている。なお、支承体本体４の裾４ａは、他の本体脚１０の径よりも大径である。
【００１７】
小球５は、受座１３に複数個だけ敷設され（敷かれ）ている。小球５は、それぞれ同一の径を有して、受座１３に対して転動可能とされている。主球６は一個だけ配置され、小球５よりも大径である。主球６は、複数個の小球５の中心に配置されている。
【００１８】
保持装置７は、小球５に載置された主球６の脱落を防止するとともに、受座１３に塵芥が入ることを防ぐ機能を有する。保持装置７は、保持脚１４と、保持脚１４に一体形成された延設部１５と、延設部１５に一体形成された保持片１６とを備える。
【００１９】
保持脚１４は円筒状に形成され、支承体本体４の本体脚１０に嵌合（外嵌）する。保持脚１４の裾１４ａは、支承体本体４の裾４ａに一方側から嵌合（重なる）よう、また、コンベヤ等２の基準面１７に直接載置するよう、周方向の一部が延長されている。なお、保持脚１４の裾１４ａは平板状である。
【００２０】
延設部１５は、本体脚１０の一端側から主球６の方向、すなわち本体脚１０の一端側から内方に直交するよう、主球６を覆うように環状に形成される。なお、延設部１５における先端部１９は、主球６には至らない。つまり、延設部１５における先端部１９は、主球６から離間している。また、延設部１５は、受座１３（底部１１）との間に、隙間を介して配置される。延設部１５と受座１３との間は、小球５の直径が入らない隙間である。
【００２１】
保持片１６は、延設部１５の先端部１９に形成されて、本体脚１０に沿うよう円筒状に形成されている。保持片１６の先端２０は、内方に向けて形成される。この先端２０は、延設部１５に沿うよう環状に形成され、そのさらに先端内周面は、主球６に対して、わずかに隙間を空けて設けられている。この先端内周面は、主球６の外縁２１の球面形状に沿った形状に形成されている。この先端内周面は、コンベヤ等２の基準面１７と平行な主球６の半径方向よりも、一端側（上側）の外縁２１に接近する。
【００２２】
本実施形態では、支承体本体４、複数個の小球５、主球６、および保持装置７により転動体２２が構成される。転動体用カバー体１は、転動体２２を覆うものであり、基部２３と、主球覆い部２４と、調整部２５とを備える。
【００２３】
基部２３は、転動体２２を構成する保持装置７の外方に配置されている。基部２３は、カバー脚２６と縁部２７とを備えている。カバー脚２６は、保持装置７の保持脚１４に遊嵌する、円筒状に形成されている。縁部２７は、カバー脚２６の一端部（上部）に一体成形されて、保持装置７の延設部１５の上側に隙間を介して配置される。この縁部２７は、保持装置７の延設部１５のうちの途中まで、カバー脚２６の一端部から、径方向内方に延びて形成されている。縁部２７の上面２８は、基準面１７に平行な平面とされている。カバー脚２６の裾２６ａは、保持脚１４の裾１４ａに対して一方側から重なるように、周方向の一部が延長されている。
【００２４】
カバー脚２６の裾２６ａは、保持脚１４の裾１４ａに対して一方側（図１、図２において上側）から重なるもので、カバー脚２６の裾２６ａと、保持脚１４の裾１４ａには、図３に示すように、コンベヤ等２の基準面１７にボルト２９を挿通するための孔３０，３１が形成されている。
【００２５】
主球覆い部２４は、主球６の外縁２１ａを、その側部で覆うよう構成されている。具体的に、主球覆い部２４は、胴体３２と、傘片３３と、鍔片３４（鍔に相当する）とを備える。また、主球覆い部２４は、合成樹脂から形成されている。
【００２６】
胴体３２は略円筒状に形成され、保持装置７の保持片１６に隙間を介して、外側から外嵌するように設けられている。また、胴体３２は、基部２３の内方一端部、すなわち基部２３の縁部２７に対して、後述する調整部２５を介して出退可能に取付けられている。
【００２７】
傘片３３は、胴体３２の一端部に環状に形成されて、胴体３２の径方向内方に向けて環状に形成されている。傘片３３は、保持片１６の先端２０に隙間を介して一方側から覆うよう配置されている。傘片３３の断面は、主球６側を、尖端状の尖端３５とするよう、三角形に形成されている。
【００２８】
具体的に傘片３３の断面は、保持片１６の先端２０側を、基準面１７に対して傾斜させた傾斜面３６とされ、保持片１６の先端２０の反対側が、基準面１７に対して平行な平面３７とされている。傘片３３の尖端３５は、後述する調整部２５を調整することにより、主球６の外縁２１ａに接近離間可能とするよう、基準面１７からの高さが調整される。
【００２９】
傘片３３において、保持片１６の先端２０は、基準面１７と平行な主球６の半径方向より一端側の外縁２１に接近するものであり、傘片３３の尖端３５は、保持片１６の先端２０に隙間を介して配置されているから、傘片３３の尖端３５は、外縁２１よりも一端側の外縁２１ａに接近離間可能とされる。傘片３３の尖端３５が接近することにより主球６の外縁２１ａから露出した部分が、主球露出部３８である。
【００３０】
鍔片３４は、胴体３２に対して、傘片３３の反対方向（胴体３２に対して径方向外方）に向けて、環状に形成されている。鍔片３４の下面３９は、基準面１７に対して平行とされ、調整部２５を調整することで、基部２３における縁部２７の上面２８と、接近離間可能に配置されている。
【００３１】
前述の調整部２５は、基部２３に対して主球覆い部２４の出退を調整するものである。調整部２５は、主球覆い部２４を主球６の一端側から他端側、あるいは他方側から一端側、すなわち主球覆い部２４を上下方向に調整する。調整部２５は、基部２３の縁部２７と、主球覆い部２４の胴体３２に亘るねじである。基部２３の縁部２７の内周に雌ねじが形成され、主球覆い部２４の胴体３２の外周に雄ねじが形成されている。
【００３２】
この調整部２５を操作すること、具体的には、基部２３に対して主球覆い部２４を回転させることにより、主球覆い部２４の胴体３２は、基部２３の縁部２７に対して、基準面１７の平面と直交する方向である上下方向（一端側から他端側、あるいは他方側から一端側）に出退可能に取付けられる。すなわち、傘片３３の尖端３５は、主球６の外縁２１ａに接近離間可能とするよう、基準面１７からの高さが調整される。また、調整部２５を操作することにより、鍔片３４の下面３９は、基部２３における縁部２７の上面２８と、接近離間可能に配置されている。この鍔片３４は、調整部２５を一方側で覆うよう配置されている。
【００３３】
調整部２５を一端側から他端側、他方側から一端側に調整する（基準面１７に直交する高さ方向に上下動させる）手段として、図４に示すように、主球覆い部２４の上面４０に形成された工具取付孔４１が用いられる。この工具取付孔４１は、主球覆い部２４の上面４０の周方向に複数個所形成されている。
【００３４】
上記構成の支承体３における、基準面１７に対する組付け方法の一例を説明する。まず、図１および図２に示すように、支承体本体４の凹部１２において、その受座１３に小球５を敷設し、小球５の外方中心に主球６を載置する。続いて、保持装置７の保持脚１４を、支承体本体４の本体脚１０に一方側から嵌合し、主球６の外縁２１に、保持片１６の先端２０を接近させる。これにより、転動体２２が完成する。
【００３５】
また、基部２３においては、保持装置７の保持脚１４に、カバー脚２６を外側から覆う。この際、保持脚１４の裾１４ａの孔３０に、カバー脚２６の裾２６ａの孔３１を一致させる。このようにすることにより、保持装置７の延設部１５に隙間を介して、カバー脚２６に縁部２７が配置される。
【００３６】
この時点で、転動体２２と基部２３とのユニットとなるから、カバー脚２６の裾２６ａと、保持脚１４の裾１４ａの孔３０，３１にボルト２９を取付けることで、転動体２２と基部２３とのユニットが、基準面１７に固定される。
【００３７】
また、主球６の外縁２１に、保持片１６の先端２０を接近させた際の主球６の外縁は、基準面２１から所定の距離にある外縁２１である。また、延設部１５と受座１３との間は、小球５の直径が入らない隙間であるから、該隙間に小球５は入らない。つまり小球５は、主球６の回転に応じて各小球５を循環するように転動可能となる。
【００３８】
転動体２２と基部２３とのユニットが、基準面１７に固定された後、主球覆い部２４の組付けをする。主球覆い部２４は、主球覆い部２４の上面４０に形成された工具取付孔４１を用いて行うことができる。まず、主球覆い部２４は、例えば図２および図５に示すように、作業者の手指によって、調整部２５、すなわち基部２３の縁部２７に形成された雌ねじに、胴体３２の外周に形成された雄ねじを螺合する。その後に、所定の工具を用いて、工具取付孔４１を、主球覆い部２４を回転させる。このようにすることで、主球覆い部２４が、基部２３に対して後退する。
【００３９】
主球覆い部２４が基部２３に対して後退すると、傘片３３の尖端３５が、主球６の外縁２１ａに接近する。このようにして、支承体３への基準面１７の組付けを終了する。なお、図１に示す支承体３は、調整部２５における雌ねじ、雄ねじどうしが一致している場合を示す。また、傘片３３の尖端３５が、主球６の外縁２１ａに接近する位置、すなわち外縁２１ａは、前述のように外縁２１よりも一方側にある。
【００４０】
上記構成の支承体３は、物品を搬送するために一般的には複数設置される。コンベヤ等２において、前述したように、支承体３は、カバー脚２６の裾２６ａと、保持脚１４の裾１４ａの孔３０，３１にボルト２９を取付けることで固定される。
【００４１】
各支承体３において、主球覆い部２４の尖端３５が主球６の外縁２１ａに接近しており、各支承体３の主球６における主球露出部３８に載置されて、物品が搬送される。また、物品の表面に凹凸があった場合、基部２３の縁部２７には、基準面１７に対して平行な上面２８が形成されているので、物品の搬送が円滑にいく。
【００４２】
ところで、主球覆い部２４は、基部２３に対して、調整部２５を介して出退可能に設けられている。この調整部２５は、基部２３の縁部２７に形成された雌ねじと、胴体３２の外周に形成された雄ねじであるから、主球覆い部２４を出退させる構成を簡素にすることができる。また、主球覆い部２４の鍔片３４は、調整部２５を一方側（物品側）で覆っており、鍔片３４によって調整部２５、および転動体２２に塵芥が入りにくい。
【００４３】
主球覆い部２４は、基部２３に対して、調整部２５を介して出退可能に設けられている。このため、主球６の外縁２１ａに対する、基準面１７からの高さを微妙に変更できる。具体的には、主球６、あるいは小球５の精度に微細な誤差がある場合や、支承体３を用いる環境が、他とは相違する場合などである。
【００４４】
何れの場合でも、調整部２５における雌ねじ、雄ねじどうしが一致している場合（図１の状態）に対して、工具取付孔４１を用いて主球覆い部２４を基部２３から突出させたり、後退させたりすることができる。特に、主球覆い部２４を後退させる場合には、主球覆い部２４の胴体３２と、保持装置７の延設部１５との間には隙間を設けていることにより、延設部１５に対して主球覆い部２４の後退が可能である。
【００４５】
したがって、調整部２５によって主球覆い部２４を基部２３に対して出退させて、主球覆い部２４の尖端３５を主球６の外縁２１ａに接近させ、しかも調整部２５により、主球６と外縁２１ａとの隙間（間隙）を調整することができる。そして、主球覆い部２４の尖端３５を主球６の外縁２１ａに適度に接近させることにより、物品等による塵芥が受座１３に侵入することを防いで、これによって、主球６を円滑に回転させる。
【００４６】
また、主球覆い部２４を後退させる場合には、鍔片３４の下面３９は、基準面１７に対して平行とされ、基部２３における縁部２７の上面２８は、基準面１７に対して平行とされ、下面３９と上面２８の間に隙間をおいて配置しているから、調整部２５を調整することで、主球覆い部２４を基部２３の縁部２７に対して後退させられる。
【００４７】
本発明は、上記実施形態に限定されず、本発明の主旨を逸脱しない範囲で種々変形が可能である。その他、各部の具体的構成についても上記実施形態に限られるものではない。
【００４８】
例えば、上記実施形態では、図１のように、支承体３は、調整部２５における雌ねじ、雄ねじどうしが一致している場合における、主球覆い部２４の出退を基準にするものではなく、主球覆い部２４は、調整部２５における雌ねじ、雄ねじがずれている場合を、主球覆い部２４の出退の基準としてもよい。
【００４９】
上記実施形態では、支承体３として保持装置７を設けた。しかしながら、支承体本体４、基部２３を基準面１７に固定できるのであれば、支承体本体４と保持装置７とを一体化してもよく、場合によっては保持装置７を省くことができる。
【００５０】
上記実施形態では、調整部２５は雌ねじ、および雄ねじから形成した。しかしながら調整部２５は、基部２３の縁部２７と、主球覆い部２４の胴体３２に亘る凹凸形状を嵌合するものであってもよい。また、胴体３２を縁部２７に対して出退させる、種々の構造を採用できる。
【００５１】
上記実施形態では、主球露出部３８を一方側（上側）に用いて物品を搬送する形態で説明したが、主球露出部３８を他方側（下側）に用いて物品を搬送する形態であってもよい。
【符号の説明】
【００５２】
１…転動体用カバー体、２…コンベヤ等、３…支承体、４…支承体本体、５…小球、６…主球、７…保持装置、１０…本体脚、１１…底部、１２…凹部、１３…受座、１４…保持脚、１５…延設部、１６…保持片、１７…基準面、１９…先端部、２０…先端、２１…外縁、２２…転動体、２３…基部、２４…主球覆い部、２５…調整部、２６…カバー脚、２７…縁部、２８…上面、３０，３１…孔、３２…胴体、３３…傘片、３４…鍔片、３５…尖端、３６…傾斜面、３７…平面、３８…主球露出部
【図１】
2020045218.tif 000003
【図２】
2020045218.tif 000004
【図３】
2020045218.tif 000005
【図４】
2020045218.tif 000006
【図５】
2020045218.tif 000007